(57)【要約】【課題】中間ダクトの装着作業及び取り外し作業を簡単なものとすること。【解決手段】ケース本体１０の内部に設けられ、背面を構成する背面パネル１６に複数の孔部１６ａが形成された収納室１２と、収納室１２に上下方向に沿って複数段設けられ、商品を載置して陳列する商品陳列棚１３と、孔部１６ａのいずれかを貫通した状態で任意の商品陳列棚１３の下部に着脱可能に設けられ、背面パネル１６により収納室１２と区画された背面ダクト２１ｂを通過する空気を導入口３１より導入して中間吹出口３２より吹き出す中間ダクト３０とを備えたショーケースにおいて、商品陳列棚１３の前方側下部に左右方向に沿って延在する軸部４１の中心軸回りに揺動可能に設けられ、常態においては軸部４１より下方に向けて延在して孔部１６ａから吹き出された空気を下方に向けて案内する風向部材４０を備えている。【選択図】図１
2017209272.tif 000002
【特許請求の範囲】
【請求項１】
ケース本体の内部に設けられ、かつ背面を構成する背面パネルに複数の孔部が形成された収納室と、
前記収納室に上下方向に沿って複数段設けられ、かつ商品を載置して陳列する商品陳列棚と、
前記孔部のいずれかを貫通した状態で任意の商品陳列棚の下部に着脱可能に設けられ、かつ前記背面パネルにより前記収納室と区画された空気風路を通過する空気を後端部に設けられた導入口より導入して前端部に設けられた中間吹出口より吹き出すことにより、前記収納室における自身の下方域の前面にエアカーテンを形成する中間ダクトと
を備えたショーケースにおいて、
前記商品陳列棚の前方側下部に左右方向に沿って延在する軸部の中心軸回りに揺動可能に設けられ、かつ常態においては前記軸部より下方に向けて延在して前記孔部から吹き出された空気を下方に向けて案内する風向部材を備えたことを特徴とするショーケース。
【請求項２】
前記風向部材は、自身が設けられた商品陳列棚の下部に前記中間ダクトが装着される場合には、後方に向けて揺動する一方、該中間ダクトが前記商品陳列棚から取り外される場合には、前方に向けて揺動することを特徴とする請求項１に記載のショーケース。
【発明の詳細な説明】
【技術分野】
【０００１】
本発明は、ショーケースに関し、より詳細には、商品陳列棚に陳列された商品を２つの温度に保持することが可能なショーケースに関するものである。
【背景技術】
【０００２】
従来、商品陳列棚に陳列された商品を２つの温度に保持することが可能なショーケースとして、次のようなものが知られている。
【０００３】
例えば、前面開口が形成されたケース本体の内部の収納室に複数の商品陳列棚が上下方向に沿って並ぶよう設けられており、それぞれの商品陳列棚に商品が載置されて陳列されている。また、ケース本体の内部であって収納室外となる個所には、吸込口を通じて吸い込んだ空気の風路が２つ形成されており、一方の空気風路を通過した空気は、収納室上部に形成された上部吹出口より吹き出される。他方の空気風路には、通過する空気を冷却する蒸発器が設置されており、この蒸発器で冷却された空気は、収納室の背面を構成する背面パネルに設けられた複数の孔部のいずれかを貫通した状態で任意の商品陳列棚の下部に設けられた中間ダクトを通じて中間吹出口より吹き出される。上部吹出口から吹き出された空気、並びに中間吹出口より吹き出された空気は、吸込口に吸い込まれることによりそれぞれケース本体の前面開口にエアカーテンを形成している。
【０００４】
このようなショーケースでは、上部吹出口より吹き出される空気により温度が調整される域と、中間吹出口より吹き出される空気により温度が調整される域との２つの異なる温度帯域が収納室に形成され、それぞれの温度帯域において商品陳列棚に陳列された商品を所望の温度状態に調整するようにしている。より詳細に説明すると、中間吹出口より吹き出される空気により、中間ダクトより下方域を低温度帯域として該域にある商品陳列棚に陳列される商品を冷却し、中間ダクトより上方域を高温度帯域として該域にある商品陳列棚に陳列される商品を所望の温度に調整している（例えば、特許文献１参照）。
【先行技術文献】
【特許文献】
【０００５】
【特許文献１】特許第４６３６５０５号公報
【発明の概要】
【発明が解決しようとする課題】
【０００６】
ところで、上述したショーケースでは、各商品陳列棚には風向板が設けられているのが一般的である。風向板は、商品陳列棚の前方側下部より下方に向けて突出する態様で設けられている。この風向板は、背面パネルの孔部より吹き出された空気を吸込口に向けて案内するものである。
【０００７】
従来のショーケースでは、このような風向板が設けられているので、任意の商品陳列棚の下部に中間ダクトを装着する場合に次のような問題があった。
【０００８】
すなわち、中間ダクトを任意の商品陳列棚の下部に装着する際に中間ダクトと風向板とが干渉する虞れがあり、これにより中間ダクトの装着前に前記風向板が取り付けられた商品陳列棚の構成要素を前方に向けて引き出し、中間ダクトを装着した後に該構成要素を後方にスライド移動させる必要があり、装着作業が煩雑なものであった。
【０００９】
その一方、任意の商品陳列棚の下部に装着された中間ダクトを取り外す場合にも、中間ダクトと風向板とが干渉する虞れがあり、これにより中間ダクトを取り外す前に上記構成要素を前方に向けて引き出し、中間ダクトを取り外した後に該構成要素を後方にスライド移動させる必要があり、取り外し作業が煩雑なものであった。
【００１０】
本発明は、上記実情に鑑みて、中間ダクトの装着作業及び取り外し作業を簡単なものとすることができるショーケースを提供することを目的とする。
【課題を解決するための手段】
【００１１】
上記目的を達成するために、本発明に係るショーケースは、ケース本体の内部に設けられ、かつ背面を構成する背面パネルに複数の孔部が形成された収納室と、前記収納室に上下方向に沿って複数段設けられ、かつ商品を載置して陳列する商品陳列棚と、前記孔部のいずれかを貫通した状態で任意の商品陳列棚の下部に着脱可能に設けられ、かつ前記背面パネルにより前記収納室と区画された空気風路を通過する空気を後端部に設けられた導入口より導入して前端部に設けられた中間吹出口より吹き出すことにより、前記収納室における自身の下方域の前面にエアカーテンを形成する中間ダクトとを備えたショーケースにおいて、前記商品陳列棚の前方側下部に左右方向に沿って延在する軸部の中心軸回りに揺動可能に設けられ、かつ常態においては前記軸部より下方に向けて延在して前記孔部から吹き出された空気を下方に向けて案内する風向部材を備えたことを特徴とする。
【００１２】
また本発明は、上記ショーケースにおいて、前記風向部材は、自身が設けられた商品陳列棚の下部に前記中間ダクトが装着される場合には、後方に向けて揺動する一方、該中間ダクトが前記商品陳列棚から取り外される場合には、前方に向けて揺動することを特徴とする。
【発明の効果】
【００１３】
本発明によれば、背面パネルの孔部から吹き出された空気を下方に向けて案内する風向部材が、商品陳列棚の前方側下部に左右方向に沿って延在する軸部の中心軸回りに揺動可能に設けられているので、中間ダクトの装着時や離脱時に商品陳列棚を前方に引き出す必要がない。これにより、中間ダクトの装着作業及び取り外し作業を簡単なものとすることができるという効果を奏する。
【図面の簡単な説明】
【００１４】
【図１】図１は、本発明の実施の形態であるショーケースの断面側面図である。
【図２】図２は、任意の商品陳列棚の下部に中間ダクトを装着する手順を示す説明図である。
【図３】図３は、任意の商品陳列棚の下部に中間ダクトを装着する手順を示す説明図である。
【図４】図４は、任意の商品陳列棚の下部に中間ダクトを取り外す手順を示す説明図である。
【図５】図５は、任意の商品陳列棚の下部に中間ダクトを取り外す手順を示す説明図である。
【発明を実施するための形態】
【００１５】
以下に添付図面を参照して、本発明に係るショーケースの好適な実施の形態について詳細に説明する。
【００１６】
図１は、本発明の実施の形態であるショーケースの断面側面図である。ここで例示するショーケースは、ケース本体１０を備えている。
【００１７】
ケース本体１０は、前面に開口（以下、前面開口ともいう）１１が形成された略直方状の断熱筐体であり、その内部には収納室１２が形成されているとともに空気循環手段２０が設けられている。
【００１８】
収納室１２は、上記前面開口１１を臨む態様で形成された室であり、複数（図示の例では５つ）の商品陳列棚１３が上下方向に沿って複数段並べて配設されている。商品陳列棚１３は、それぞれ商品を載置して陳列するものである。
【００１９】
空気循環手段２０は、空気通路２１と循環ファン２２とを備えて構成されている。空気通路２１は、吸込口１４から吹出口１５に至る空気の通路である。ここで吸込口１４は、収納室１２の内部の空気を吸い込むための開口であり、左右方向に沿って延在するよう設けられた長尺状のものである。この吸込口１４は、収納室１２の下側前方縁部、すなわちケース本体１０の前面開口１１近傍の下部に設けられている。
【００２０】
吹出口１５は、収納室１２の内部に空気を吹き出すための開口である。この吹出口１５は、左右方向に沿って延在するよう設けられており、収納室１２の上側前方縁部、すなわちケース本体１０の前面開口１１近傍の上部に設けられている。
【００２１】
このような空気通路２１は、収納室１２の外部であってその下方にある下方ダクト２１ａと、収納室１２の外部であってその背面側にある背面ダクト２１ｂと、収納室１２の外部であってその上方にある上方ダクト２１ｃとを互いに連通した状態で構成されている。この背面ダクト２１ｂは、収納室１２の背面を構成する背面パネル１６と、上下方向に沿って延在する金属製の当接板１７とにより挟まれて上下方向に沿って延在する風路である。尚、背面パネル１６には、後述する中間ダクト３０を装着するための装着孔等の複数の孔部１６ａが形成されている。
【００２２】
循環ファン２２は、空気を循環させるものであり、下方ダクト２１ａの所定部位に設けられている。本実施の形態では、循環ファン２２は、下方ダクト２１ａの所定部位に設けられているが、本発明では、循環ファン２２の配設位置は特に限定されるものではなく、後述する循環ファン２２の機能を発揮することができる個所であればどこに設けても構わない。
【００２３】
上記背面ダクト２１ｂには、蒸発器２３が設けられている。蒸発器２３は、図示せぬ圧縮機、凝縮器及び膨張機構と冷媒管路で接続されて冷媒を循環させる冷凍サイクルを構成する。圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２４】
このような空気循環手段２０は、循環ファン２２が駆動することにより吸込口１４を通じて収納室１２の内部の空気を吸い込み、吸い込んだ空気が空気通路２１を通過する態様で吹出口１５まで送出し、吹出口１５を通じて収納室１２の内部に空気を吹き出すことにより、収納室１２の内部と外部との間で空気を循環させるものである。
【００２５】
蒸発器２３は、循環ファン２２が駆動することにより背面ダクト２１ｂを下方から上方に向けて通過する空気と、膨張機構で低温低圧の状態にされた冷媒とを熱交換させるもの、より詳細には、低温低圧の冷媒を蒸発させることにより背面ダクト２１ｂを通過する空気を冷却するものである。この蒸発器２３で蒸発した冷媒は、圧縮機に吸引されて冷凍サイクルを循環することになる。
【００２６】
このようなショーケースにおいては、中間ダクト３０及び風向部材４０が設けられている。中間ダクト３０は、全体として略平板状の形態を成している。この中間ダクト３０は、背面パネル１６のいずれかの孔部１６ａを貫通して後端部が背面ダクト２１ｂを遮断する態様で収納室１２に設けられており、より詳しくは、任意の商品陳列棚（本実施の形態では、最上段から四段目の商品陳列棚）１３の下部に設けられている。この中間ダクト３０は、左右幅の大きさが商品陳列棚１３の左右幅に略等しく、収納室１２に対して着脱可能なものである。
【００２７】
かかる中間ダクト３０は、内部に風洞３０ａが設けられている。風洞３０ａは、前後方向に沿って延在するものであり、後端部に設けられた導入口３１及び前端部に設けられた中間吹出口３２に連通している。導入口３１は、下方に向けて開口しており、背面ダクト２１ｂを通過する空気を導入するためのものである。中間吹出口３２は、前方側斜め下方に向けて開口しており、風洞３０ａを通過する空気を吹き出すためのものである。かかる中間ダクト３０の前端部は、対象商品陳列棚１３の前端部分よりも後方側に位置している。
【００２８】
風向部材４０は、左右方向が長手方向となる長尺状平板状部材である。この風向部材４０は、左右方向の長さが商品陳列棚１３の左右方向の長さに略等しい。かかる風向部材４０は、各商品陳列棚１３の前方側下部において左右方向に沿って延在する軸部４１の中心軸回りに揺動可能に設けられている。つまり、風向部材４０は、軸部４１の両端部が中心軸回りに回転可能となる態様で軸支されており、該軸部４１の中心軸回りに揺動可能に設けられている。この風向部材４０は、常態においては自身の自重により軸部４１より下方に向けて鉛直方向に沿って延在している。このような風向部材４０は、孔部１６ａから吹き出された空気を下方に向けて案内するものである。
【００２９】
以上のような構成を有するショーケースにおいては、圧縮機が駆動するともに循環ファン２２が駆動することにより、収納室１２の内部の空気が次のように循環する。
【００３０】
吸込口１４を通じて空気通路２１の下方ダクト２１ａに吸い込まれた収納室１２の内部の空気は、該下方ダクト２１ａを通過した後に、背面ダクト２１ｂを通過する。
【００３１】
背面ダクト２１ｂを通過する空気は、蒸発器２３で冷却される。蒸発器２３で冷却された空気は、導入口３１を通じて風洞３０ａに導入され、該風洞３０ａを通過し、中間吹出口３２を通じて吹き出され、再び吸込口１４を通じて空気通路２１に吸い込まれることにより、収納室１２の内部と外部とを循環する。これにより、収納室１２における中間ダクト３０の下方域の前面には、蒸発器２３で冷却された空気によるエアカーテンが形成される。
【００３２】
このようにして中間吹出口３２より吹き出される空気（冷気）により中間ダクト３０の下方域の前面にエアカーテンが形成されるので、収納室１２における中間ダクト３０の下方域を、中間ダクト３０の上方域よりも冷却することができる。これにより、収納室１２における中間ダクト３０の上方域と下方域とを異なる温度帯にすることができ、収納室１２の商品を２つの温度に保持することができる。
【００３３】
かかるショーケースにおいては、任意の商品陳列棚１３の下部に中間ダクト３０を設置する場合、図２に示すように、該商品陳列棚１３の下部に対して中間ダクト３０を前方より近接させる。風向部材４０は、上述したように軸部４１の中心軸回りに揺動可能であるので、図３に示すように、中間ダクト３０に押圧されて後方に向けて揺動し、これにより、中間ダクト３０は、孔部１６ａを貫通して装着される。
【００３４】
一方、任意の商品陳列棚１３の下部に設置された中間ダクト３０を取り外す場合、図４に示すように、中間ダクト３０を前方に向けて変位させる。風向部材４０は、上述したように軸部４１の中心軸回りに揺動可能であるので、図５に示すように、中間ダクト３０に押圧されて前方に向けて揺動し、これにより、中間ダクト３０は、孔部１６ａを貫通して収納室１２から取り外される。
【００３５】
以上説明したように、本実施の形態であるショーケースによれば、風向部材４０が、商品陳列棚１３の前方側下部において左右方向に沿って延在する軸部４１の中心軸回りに揺動可能に設けられているので、中間ダクト３０の装着時や離脱時に商品陳列棚１３を前方に引き出す必要がない。これにより、中間ダクト３０の装着作業及び取り外し作業を簡単なものとすることができる。
【００３６】
以上、本発明の好適な実施の形態について説明したが、本発明はこれに限定されるものではなく、種々の変更を行うことができる。
【００３７】
上述した実施の形態では、風向部材４０が、常態においては、自身の自重により軸部４１より下方に向けて鉛直方向に沿って延在していたが、本発明においては、風向部材が、バネ等の付勢手段により、常態においては軸部より下方に向けて延在するようにしてもよい。
【符号の説明】
【００３８】
１０  ケース本体
１１  前面開口
１２  収納室
１３  商品陳列棚
１６  背面パネル
１６ａ  孔部
２０  空気循環手段
２１  空気通路
２１ｂ  背面ダクト
２２  循環ファン
３０  中間ダクト
３０ａ  風洞
３１  導入口
３２  中間吹出口
４０  風向部材
４１  軸部
【図１】
2017209272.tif 000003
【図２】
2017209272.tif 000004
【図３】
2017209272.tif 000005
【図４】
2017209272.tif 000006
【図５】
2017209272.tif 000007